(57)【要約】【課題】本発明の目的は、構築するか参加する非ＩＰパケットによる各クラスタ同士を網目状に接続するとともに、ＩＰパケットを転送することができるノードを提供することにある。【解決手段】ＩＰパケットを転送する転送手段を備える各ＩＰパケット転送ノードが構築するか参加する非ＩＰパケットによる無線通信手段を提供する各非ＩＰパケットクラスタ同士を網目状に接続する何れか一つのＩＰパケット転送ノードであることを特徴とする。【選択図】図１
2017028736.tif 000002
【特許請求の範囲】
【請求項１】
ＩＰパケットを転送する転送手段を備える各ＩＰパケット転送ノードが構築するか参加する非ＩＰパケットによる無線通信手段を提供する各非ＩＰパケットクラスタ同士を網目状に接続する何れか一つの前記ＩＰパケット転送ノードであることを特徴とするノード。
【請求項２】
請求項１に記載のノードを構成することを特徴とする集積回路。
【請求項３】
コンピュータを、請求項１に記載のノードの前記転送手段として機能させるための制御プログラム。
【発明の詳細な説明】
【技術分野】
【０００１】
本発明は、ＩＰパケット転送ノードに関する。
【背景技術】
【０００２】
従来、クラスタ通信システムとしてアドホックに形成される通信効率の良い通信ネットワークを構成する通信システムが知られている。例えば、特開２０１０−２６３３４９号公報に記載の技術は、各クラスタには複数の端末装置が含まれ、各クラスタには、上位ノードの端末装置としてヘッドノードもしくはゲートウェイノードが１つ含まれ、その他の端末装置はすべて下位ノードであり、クラスタの上位ノードは、クラスタ内のセンス周期に対する通信時間長の比を管理し、下位ノードは、通信の状態や電源残量などに応じて、適宜ほかのクラスタの上位ノードをセンスして、通信効率が向上するか、省電力に有利か、等を、上位ノードが設定したセンス周期に対する通信時間長の比に基づいて比較し、他の上位ノードが望ましい場合には、上位ノードを切り替える技術が開示されている。
【先行技術文献】
【特許文献】
【０００３】
【特許文献１】特開２０１０−２６３３４９号公報
【発明の概要】
【発明が解決しようとする課題】
【０００４】
ところで、従来のクラスタ通信システムは、アドホックに形成されているが各クラスタがツリー状に接続されているため効率的な通信経路を構築することができないと言った問題があった。あるいは、ノードが構築するか参加する非ＩＰパケットによる各クラスタ同士を網目状に接続するとともに、ＩＰパケットを転送することができないと言った問題があった。
【０００５】
そこで、本発明の目的は、構築するか参加する非ＩＰパケットによる各クラスタ同士を網目状に接続するとともに、ＩＰパケットを転送することができるノードを提供することにある。
【課題を解決するための手段】
【０００６】
課題を解決するために本発明のノードは、ＩＰパケットを転送する転送手段を備える各ＩＰパケット転送ノードが構築するか参加する非ＩＰパケットによる無線通信手段を提供する各非ＩＰパケットクラスタ同士を網目状に接続する何れか一つの前記ＩＰパケット転送ノードであることを特徴とする。
【発明の効果】
【０００７】
本発明によれば、ノードは、構築するか参加する非ＩＰパケットによる各クラスタ同士を網目状に接続するとともに、ＩＰパケットを転送することができる。
【図面の簡単な説明】
【０００８】
【図１】実施形態の通信ネットワークシステムの構成図である。
【発明を実施するための形態】
【０００９】
以下、本発明の実施の一形態について詳細に説明する。
【００１０】
図１は実施形態の通信ネットワークシステムの構成図である。通信ネットワークシステムは、クラスタ（図１の点線内）を構築するワイヤレスＵＳＢのホスト通信部Ｈ、クラスタに参加する少なくとも１つ以上のワイヤレスＵＳＢのデバイス通信部Ｄ、ＩＰパケット及びワイヤレスＵＳＢパケットを送受信する図示させていない情報処理部、および各ポートがホスト通信部Ｈとデバイス通信部Ｄと情報処理部に繋がり、ＩＰパケット及びワイヤレスＵＳＢパケットを受信して他のポートへ転送するスイッチ部Ｓを備えるノード装置１と、デバイス通信部Ｄを備え、該デバイス通信部Ｄを介してワイヤレスＵＳＢパケットを送受信する周辺装置２と、デバイス通信部Ｄを備え、該デバイス通信部Ｄを介してＩＰパケット及びワイヤレスＵＳＢパケットを送受信するＩＰ端末３と、から構成され、ノード装置１が複数存在し、１つのクラスタに少なくとも１つ以上のデバイス通信部Ｄが参加可能であり、ノード装置１のデバイス通信部Ｄが他のノード装置１のホスト通信部Ｈが構築したクラスタに参加してクラスタ内通信を行うことで、クラスタ同士が網目構造に接続された通信ネットワークを構築し、周辺装置２とＩＰ端末３のデバイス通信部Ｄが何れか１つのクラスタに参加してクラスタ内通信を行い、クラスタ内で複数のノード装置１、周辺装置２およびＩＰ端末３が共存する。
【００１１】
ノード装置１、周辺装置２、ＩＰ端末３などの装置は、ＣＰＵ、ＲＯＭ、ＲＡＭなどを有するコンピュータ部と、共通のコネクション鍵を備えている。ノード装置１のホスト通信部Ｈとデバイス通信部Ｄは無線送受信部を共有している。ノード装置１とＩＰ端末３は、スイッチ部ＳがＩＰパケット及びワイヤレスＵＳＢパケットを転送することができるため、ＩＰ接続を行うことができる。また、通信ネットワークを介して任意の周辺装置２を接続して利用することができる。スイッチ部Ｓは、Ｌ３スイッチを構成し、ＩＰ通信用とワイヤレスＵＳＢ通信用の２つのＦＤＢ（Forwarding DataBase）などを備え、各ポートから受信したＩＰパケットとワイヤレスＵＳＢパケットを夫々のＦＤＢなどに照らして他のポートへ転送することとなる。
【００１２】
ノード装置１は、自己の識別情報などをクラスタ識別情報とし、該クラスタ識別情報および自己のデバイス通信部Ｄが参加したクラスタのクラスタ識別情報を含むビーコンを自己のホスト通信部Ｈから他のノード装置１に向けてブロードキャスト送信させるとともに、他のノード装置１から受信したビーコンを基に自己のデバイス通信部Ｄを参加させるクラスタを選んでそこに参加させて、自己を含む３つのノード装置１が連環する様に制御する。具体的には、ノード装置１ａの場合に、受信したビーコンを基に一方のデバイス通信部Ｄが、自己を含む３つのノード装置１が連環をなす条件に該当するノード装置１ｂが構築したクラスタを選んで参加し、自己を含む３つのノード装置１ａ、１ｂ、１ｃを連環させるとともに、受信したビーコンを基に他方のデバイス通信部Ｄが自己を含む３つのノード装置１が、連環をなす条件に該当するノード装置１ｄが構築したクラスタを選んで参加し、自己を含む３つのノード装置１ａ、１ｂ、１ｄを連環させることとなる。ここで、ノード装置１は、自己を含む３つのノード装置１が連環を構成する適当なクラスタが見当たらない場合に、自己が接続していない他のノード装置１が構築した任意のクラスタを見付けてそこに参加することとなる。
【００１３】
上記実施形態において、通信ネットワークシステムは、クラスタを構築するとともに、他のクラスタに参加する各ノード装置１から構成され、ノード装置１が少なくとも１つ以上の該他のクラスタに参加してクラスタ内通信を行い、少なくとも１つ以上のノード装置１を参加させた各クラスタ同士が網目状に接続された部分を含む通信ネットワークを構築することを特徴とする。また、クラスタを構築するとともに、他のクラスタに参加する各ノード装置１から構成され、ノード装置１が少なくとも１つ以上の該他のクラスタに参加してクラスタ内通信を行う通信ネットワークを構築し、通信ネットワークが２つ又は３つのクラスタにより、３つのノード装置１が連環された部分を含むことを特徴としてもよい。また、ノード装置１において、自己が構築したクラスタと自己が参加した他のクラスタの識別情報を他のノード装置１に通知する手段と、該他のノード装置１から識別情報を取得し自己を含む３つのノード装置１を連環させる様に自己が他のクラスタに参加する手段を備えることを特徴としてもよい。また、ノード装置１、周辺装置２、ＩＰ端末３がホスト通信部Ｈ、スイッチ部Ｓ、デバイス通信部Ｄなどを備えた通信用集積回路を備え、該通信用集積回路によりホスト通信部Ｈ、スイッチ部Ｓ、デバイス通信部Ｄなどが制御されてノード装置１、周辺装置２、ＩＰ端末３を実現する構成としてもよい。また、ノード装置１が通信ネットワークの端末を構成していてもよい。また、ノード装置１、周辺装置２、ＩＰ端末３としてワイヤレスＵＳＢを用いた装置を用いたがノード装置１、周辺装置２、ＩＰ端末３を、ワイヤレスＵＳＢを用いた装置を問わず、例えば、特開２０１０−２６３３４９号公報の端末装置と同様の構成などとしてもよい。
【００１４】
上記実施形態によれば、通信ネットワークシステムは、クラスタ同士を網目状に接続することができる。
【００１５】
以上の説明においては、通信制御プログラムを含む各種制御プログラムが、予めＲＯＭに格納されている場合について説明したが、制御プログラムを、コンピュータ部で読取可能な記憶媒体に記録するようにしてもよい。このような構成であれば、コンピュータ部によってプログラムが記憶媒体から読み取られ、読み取られたプログラムに従ってコンピュータ部が処理を実行すると、上記実施形態の各装置と同等の作用および効果が得られる。
【００１６】
ここで、記憶媒体とは、ＲＡＭ、ＲＯＭ等の半導体記憶媒体、ＦＤ、ＨＤＤ等の磁気記憶型記憶媒体、ＣＤ、ＤＶＤ、ＢＤ等の光学的読取方式記憶媒体、ＭＯ等の磁気記憶型／光学的読取方式記憶媒体であって、電子的、磁気的、光学的等の読み取り方法のいかんにかかわらず、コンピュータ部で読み取り可能な記憶媒体であれば、どのような記憶媒体であってもよい。
【００１７】
また、インターネット、ＬＡＮ等のネットワークシステムを介して制御プログラムをダウンロードし、インストールして実行するように構成することも可能である。
【符号の説明】
【００１８】
１…ノード装置，２…周辺装置，３…ＩＰ端末，Ｈ…ホスト通信部，Ｄ…デバイス通信部，Ｓ…スイッチ部
【図１】
2017028736.tif 000003
【手続補正書】
【提出日】平成28年10月6日(2016.10.6)
【手続補正１】
【補正対象書類名】特許請求の範囲
【補正対象項目名】請求項１
【補正方法】変更
【補正の内容】
【請求項１】
ＩＰパケットを転送する転送手段を備える各ノードが構築するか参加する非ＩＰ通信による無線通信手段を提供する各非ＩＰ通信クラスタ同士を網目状に接続する網目状クラスタＩＰネットワークを構築し各々の前記非ＩＰ通信クラスタを介して前記ＩＰパケットを互いに転送する前記ノードの何れか一つであることを特徴とするノード。
【手続補正２】
【補正対象書類名】明細書
【補正対象項目名】０００６
【補正方法】変更
【補正の内容】
【０００６】
課題を解決するため本発明のノードは、ＩＰパケットを転送する転送手段を備える各ノードが構築するか参加する非ＩＰ通信による無線通信手段を提供する各非ＩＰ通信クラスタ同士を網目状に接続する網目状クラスタＩＰネットワークを構築し各々の前記非ＩＰ通信クラスタを介して前記ＩＰパケットを互いに転送する前記ノードの何れか一つであることを特徴とする。
【手続補正３】
【補正対象書類名】明細書
【補正対象項目名】０００４
【補正方法】変更
【補正の内容】
【０００４】
ところで、従来のクラスタ通信システムは、アドホックに形成されているが各クラスタがツリー状に接続されているため効率的な通信経路を構築することができないと言った問題があった。あるいは、各ノードが構築するか参加する非ＩＰ通信による各クラスタ同士を網目状に接続するとともに、ＩＰパケットを互いに転送することができないと言った問題があった。
【手続補正４】
【補正対象書類名】明細書
【補正対象項目名】０００５
【補正方法】変更
【補正の内容】
【０００５】
そこで、本発明の目的は、構築するか参加する非ＩＰ通信による各クラスタ同士を網目状に接続するとともに、ＩＰパケットを互いに転送することができるノードを提供することにある。
【手続補正５】
【補正対象書類名】明細書
【補正対象項目名】０００７
【補正方法】変更
【補正の内容】
【０００７】
本発明によれば、ノードは、構築するか参加する非ＩＰ通信による各クラスタ同士を網目状に接続するとともに、ＩＰパケットを互いに転送することができる。
【手続補正書】
【提出日】平成28年11月7日(2016.11.7)
【手続補正１】
【補正対象書類名】特許請求の範囲
【補正対象項目名】請求項１
【補正方法】変更
【補正の内容】
【請求項１】
ＩＰパケットを転送する転送手段を備える各ノードが構築するか参加する非ＩＰ通信による無線通信手段を提供する各非ＩＰ通信クラスタを網目状に接続する網目状クラスタＩＰネットワークを構築し各々の前記非ＩＰ通信クラスタを介して前記ＩＰパケットを互いに転送する前記ノードの何れか一つであることを特徴とするノード。
【手続補正２】
【補正対象書類名】明細書
【補正対象項目名】０００６
【補正方法】変更
【補正の内容】
【０００６】
課題を解決するため本発明のノードは、ＩＰパケットを転送する転送手段を備える各ノードが構築するか参加する非ＩＰ通信による無線通信手段を提供する各非ＩＰ通信クラスタを網目状に接続する網目状クラスタＩＰネットワークを構築し各々の前記非ＩＰ通信クラスタを介して前記ＩＰパケットを互いに転送する前記ノードの何れか一つであることを特徴とする。
【手続補正３】
【補正対象書類名】明細書
【補正対象項目名】０００５
【補正方法】変更
【補正の内容】
【０００５】
そこで、本発明の目的は、各々が構築するか参加する非ＩＰ通信による各クラスタ同士を網目状に接続するとともに、各クラスタを介してＩＰパケットを互いに転送することができるノードを提供することにある。
【手続補正４】
【補正対象書類名】明細書
【補正対象項目名】０００７
【補正方法】変更
【補正の内容】
【０００７】
本発明によれば、ノードは、各々が構築するか参加する非ＩＰ通信による各クラスタ同士を網目状に接続するとともに、各クラスタを介してＩＰパケットを互いに転送することができる。
【手続補正書】
【提出日】平成28年11月18日(2016.11.18)
【手続補正１】
【補正対象書類名】特許請求の範囲
【補正対象項目名】請求項１
【補正方法】変更
【補正の内容】
【請求項１】
ＩＰパケットを転送する転送手段を備える各ノードが構築するか参加する非ＩＰ通信による無線通信手段を提供する各クラスタを網目状に接続するネットワークを構築し、前記クラスタを介して前記ＩＰパケットを互いに転送する前記ノードの何れか一つであることを特徴とするノード。
【手続補正２】
【補正対象書類名】明細書
【補正対象項目名】０００６
【補正方法】変更
【補正の内容】
【０００６】
課題を解決するため本発明のノードは、ＩＰパケットを転送する転送手段を備える各ノードが構築するか参加する非ＩＰ通信による無線通信手段を提供する各クラスタを網目状に接続するネットワークを構築し、前記クラスタを介して前記ＩＰパケットを互いに転送する前記ノードの何れか一つであることを特徴とする。
【手続補正３】
【補正対象書類名】明細書
【補正対象項目名】０００５
【補正方法】変更
【補正の内容】
【０００５】
そこで、本発明の目的は、各々が構築するか参加する非ＩＰ通信による各クラスタを網目状に接続するネットワークを構築し、各クラスタを介してＩＰパケットを互いに転送する各ノードを提供することにある。
【手続補正４】
【補正対象書類名】明細書
【補正対象項目名】０００７
【補正方法】変更
【補正の内容】
【０００７】
本発明によれば、各ノードは、各々が構築するか参加する非ＩＰ通信による各クラスタを網目状に接続するネットワークを構築し、各クラスタを介してＩＰパケットを互いに転送することができる。
【手続補正書】
【提出日】平成28年11月18日(2016.11.18)
【手続補正１】
【補正対象書類名】明細書
【補正対象項目名】０００４
【補正方法】変更
【補正の内容】
【０００４】
ところで、従来のクラスタ通信システムは、アドホックに形成されているが各クラスタがツリー状に接続されているため効率的な通信経路を構築することができないと言った問題があった。あるいは、各ノードが構築するか参加する非ＩＰ通信による無線通信手段を提供する各クラスタを網目状に接続するネットワークを構築し、各クラスタを介してＩＰパケットを互いに転送することができないと言った問題があった。
【手続補正２】
【補正対象書類名】明細書
【補正対象項目名】０００５
【補正方法】変更
【補正の内容】
【０００５】
そこで、本発明の目的は、各々が構築するか参加する非ＩＰ通信による無線通信手段を提供する各クラスタを網目状に接続するネットワークを構築し、各クラスタを介してＩＰパケットを互いに転送する各ノードを提供することにある。
【手続補正３】
【補正対象書類名】明細書
【補正対象項目名】０００７
【補正方法】変更
【補正の内容】
【０００７】
本発明によれば、各ノードは、各々が構築するか参加する非ＩＰ通信による無線通信手段を提供する各クラスタを網目状に接続するネットワークを構築し、各クラスタを介してＩＰパケットを互いに転送することができる。
【手続補正書】
【提出日】平成28年11月19日(2016.11.19)
【手続補正１】
【補正対象書類名】特許請求の範囲
【補正対象項目名】請求項１
【補正方法】変更
【補正の内容】
【請求項１】
ＩＰパケットを転送する転送手段を備える各ノードが構築するか参加する非ＩＰ通信による無線通信手段を提供する各クラスタを網目状に接続するネットワークを構築し、
前記ネットワークにおいて、前記クラスタを介して前記ＩＰパケットを互いに転送する前記ノードの何れか一つであることを特徴とするノード。
【手続補正２】
【補正対象書類名】明細書
【補正対象項目名】０００６
【補正方法】変更
【補正の内容】
【０００６】
課題を解決するため本発明のノードは、ＩＰパケットを転送する転送手段を備える各ノードが構築するか参加する非ＩＰ通信による無線通信手段を提供する各クラスタを網目状に接続するネットワークを構築し、前記ネットワークにおいて、前記クラスタを介して前記ＩＰパケットを互いに転送する前記ノードの何れか一つであることを特徴とする。
【手続補正３】
【補正対象書類名】明細書
【補正対象項目名】０００４
【補正方法】変更
【補正の内容】
【０００４】
ところで、従来のクラスタ通信システムは、アドホックに形成されているが各クラスタがツリー状に接続されているため効率的な通信経路を構築することができないと言った問題があった。あるいは、各ノードが構築するか参加する非ＩＰ通信による無線通信手段を提供する各クラスタを網目状に接続するネットワークにおいて、各クラスタを介してＩＰパケットを互いに転送することができないと言った問題があった。
【手続補正４】
【補正対象書類名】明細書
【補正対象項目名】０００５
【補正方法】変更
【補正の内容】
【０００５】
そこで、本発明の目的は、各々が構築するか参加する非ＩＰ通信による無線通信手段を提供する各クラスタを網目状に接続するネットワークにおいて、各クラスタを介してＩＰパケットを互いに転送する各ノードを提供することにある。
【手続補正５】
【補正対象書類名】明細書
【補正対象項目名】０００７
【補正方法】変更
【補正の内容】
【０００７】
本発明によれば、各ノードは、各々が構築するか参加する非ＩＰ通信による無線通信手段を提供する各クラスタを網目状に接続するネットワークにおいて、各クラスタを介してＩＰパケットを互いに転送することができる。
【手続補正書】
【提出日】平成28年12月2日(2016.12.2)
【手続補正１】
【補正対象書類名】特許請求の範囲
【補正対象項目名】全文
【補正方法】変更
【補正の内容】
【特許請求の範囲】
【請求項１】
各々が構築するか参加する非ＩＰ通信による無線通信手段を提供する各非ＩＰ通信クラスタを網目状に接続しＩＰパケットの転送に用いる網目状クラスタＩＰネットワークを構築して、
前記網目状クラスタＩＰネットワークの各非ＩＰ通信クラスタを介して前記ＩＰパケットを互いに転送する転送手段を備える各ノードの何れか一つであることを特徴とするノード。
【請求項２】
請求項１に記載のノードを実現することを特徴とする集積回路。
【請求項３】
コンピュータを、請求項１に記載のノードの前記転送手段として機能させるための制御プログラム。
【手続補正２】
【補正対象書類名】明細書
【補正対象項目名】０００６
【補正方法】変更
【補正の内容】
【０００６】
課題を解決するため本発明のノードは、各々が構築するか参加する非ＩＰ通信による無線通信手段を提供する各非ＩＰ通信クラスタを網目状に接続しＩＰパケットの転送に用いる網目状クラスタＩＰネットワークを構築して、前記網目状クラスタＩＰネットワークの各非ＩＰ通信クラスタを介して前記ＩＰパケットを互いに転送する転送手段を備える各ノードの何れか一つであることを特徴とする。
【手続補正３】
【補正対象書類名】明細書
【補正対象項目名】０００４
【補正方法】変更
【補正の内容】
【０００４】
ところで、従来のクラスタ通信システムは、アドホックに形成されているが各クラスタがツリー状に接続されているため効率的な通信経路を構築することができないと言った問題があった。あるいは、各ノードが構築するか参加する非ＩＰ通信による無線通信手段を提供する各非ＩＰ通信クラスタを網目状に接続しＩＰパケットの転送に用いる網目状クラスタＩＰネットワークを構築することができないと言った問題があった。
【手続補正４】
【補正対象書類名】明細書
【補正対象項目名】０００５
【補正方法】変更
【補正の内容】
【０００５】
そこで、本発明の目的は、各々が構築するか参加する非ＩＰ通信による無線通信手段を提供する各非ＩＰ通信クラスタを網目状に接続しＩＰパケットの転送に用いる網目状クラスタＩＰネットワークを構築するノードを提供することにある。
【手続補正５】
【補正対象書類名】明細書
【補正対象項目名】０００７
【補正方法】変更
【補正の内容】
【０００７】
本発明によれば、ノードは、各々が構築するか参加する非ＩＰ通信による無線通信手段を提供する各非ＩＰ通信クラスタを網目状に接続しＩＰパケットの転送に用いる網目状クラスタＩＰネットワークを構築することができる。
【手続補正書】
【提出日】平成28年12月15日(2016.12.15)
【手続補正１】
【補正対象書類名】特許請求の範囲
【補正対象項目名】全文
【補正方法】変更
【補正の内容】
【特許請求の範囲】
【請求項１】
クラスタを構築するクラスタ構築ノードであって、
三つの前記クラスタ構築ノードによる環状接続部の内の二つの前記クラスタ構築ノードを含む三つの前記クラスタ構築ノードが二つの前記クラスタにより繋がるように、前記クラスタに参加させる手段を備えることを特徴とするクラスタ構築ノード。
【請求項２】
請求項１に記載のクラスタ構築ノードを実現することを特徴とする通信用集積回路。
【請求項３】
コンピュータを、
請求項１に記載のクラスタ構築ノードの前記手段として機能させるための制御プログラム。
【手続補正２】
【補正対象書類名】明細書
【補正対象項目名】０００６
【補正方法】変更
【補正の内容】
【０００６】
課題を解決するために本発明のクラスタ構築ノードは、クラスタを構築するクラスタ構築ノードであって、三つの前記クラスタ構築ノードによる環状接続部の内の二つの前記クラスタ構築ノードを含む三つの前記クラスタ構築ノードが二つの前記クラスタにより繋がるように、前記クラスタに参加させる手段を備えることを特徴とする。
【手続補正３】
【補正対象書類名】明細書
【補正対象項目名】０００４
【補正方法】変更
【補正の内容】
【０００４】
ところで、従来のクラスタ通信システムは、アドホックに形成されているが各クラスタがツリー状に接続されているため効率的な通信経路を構築することができないと言った問題があった。また、クラスタを構築するクラスタ構築ノードが三つのクラスタ構築ノードによる環状接続部の二つが二つのクラスタ構築ノードを共有して繋がるように、クラスタに参加させることができないと言った問題があった。
【手続補正４】
【補正対象書類名】明細書
【補正対象項目名】０００５
【補正方法】変更
【補正の内容】
【０００５】
そこで、本発明の目的は、三つのクラスタ構築ノードによる環状接続部の二つが二つのクラスタ構築ノードを共有して繋がるように、クラスタに参加させるクラスタ構築ノードを提供することにある。
【手続補正５】
【補正対象書類名】明細書
【補正対象項目名】０００７
【補正方法】変更
【補正の内容】
【０００７】
本発明によれば、クラスタ構築ノードは、三つのクラスタ構築ノードによる環状接続部の二つが二つのクラスタ構築ノードを共有して繋がるように、クラスタに参加させることができる。
【手続補正７】
【補正対象書類名】明細書
【補正対象項目名】０００１
【補正方法】変更
【補正の内容】
【０００１】
本発明は、クラスタ構築ノードに関する。
【手続補正書】
【提出日】平成28年12月15日(2016.12.15)
【手続補正１】
【補正対象書類名】特許請求の範囲
【補正対象項目名】全文
【補正方法】変更
【補正の内容】
【特許請求の範囲】
【請求項１】
クラスタを構築するクラスタ構築ノードであって、
三つの前記クラスタ構築ノードによる環状接続部の内の二つの前記クラスタ構築ノードを含む三つの前記クラスタ構築ノードが二つの前記クラスタにより繋がるように、前記クラスタに参加させる手段を備えることを特徴とするクラスタ構築ノード。
【請求項２】
請求項１に記載のクラスタ構築ノードを実現することを特徴とする通信用集積回路。
【請求項３】
コンピュータを、
請求項１に記載のクラスタ構築ノードの前記手段として機能させるための制御プログラム。
【請求項４】
請求項１に記載のクラスタ構築ノードを網目状に接続する網目状クラスタネットワークに接続する端末手段と、前記クラスタに参加させる参加手段と、を備えることを特徴とする装置。